(57)【要約】【課題】各種電話機から着信者課金方式で容易に電話をすることができる着信者課金方式通話方法を提供する。【解決手段】発信元の電話機が、通信網接続装置に通信網接続装置の電話番号を用いて呼出信号を送信し、通信網接続装置に発信元の電話機の電話番号と、着信先の電話機の電話番号を送信し、通信網接続装置は、発信元の電話機から受信した発信元の電話機の電話番号と着信先の電話機の電話番号に基づいて、発信元の電話機と着信先の電話機とを着信者課金方式で通話可能に接続する。【選択図】        図１
2004186976.tif 000002
【特許請求の範囲】
【請求項１】
発信元の電話機が、通信網接続装置に通信網接続装置の電話番号を用いて呼出信号を送信し、通信網接続装置に発信元の電話機の電話番号と、着信先の電話機の電話番号を送信し、
通信網接続装置は、発信元の電話機から受信した発信元の電話機の電話番号と着信先の電話機の電話番号に基づいて、発信元の電話機と着信先の電話機とを着信者課金方式で通話可能に接続する、
着信者課金方式通話方法。
【請求項２】
請求項１に記載の着信者課金方式通話方法であって、
通信網接続装置が、発信元の電話機から呼出信号と、発信元の電話機の電話番号を受信したら、発信元の電話機の電話番号を検出して呼出信号に応答せず発信元の電話機に着信拒否信号を送信し、
通信網接続装置が、発信元の電話機から受信した発信元の電話機の電話番号に基づいて、発信元の電話機に呼出信号と着信先の電話機の電話番号要求信号を送信し、
発信元の電話機が、通信網接続装置に、着信先の電話機の電話番号を送信し、通信網接続装置は、発信元の電話機から受信した着信先の電話機の電話番号に基づいて、着信先の電話機に呼出信号を送信し、着信先の電話機が呼出信号に応答すれば、発信元の電話機と着信先の電話機とを着信者課金方式で通話可能に接続する、
着信者課金方式通話方法。
【請求項３】
請求項１に記載の着信者課金方式通話方法であって、
通信網接続装置は、発信元の電話機から呼出信号と、発信元の電話機の電話番号を受信したら、発信元の電話機の電話番号を検出して呼出信号に応答してから、発信元の電話機との接続を一旦切断し、
通信網接続装置が、発信元の電話機から受信した発信元の電話機の電話番号に基づいて、発信元の電話機に呼出信号と着信先の電話機の電話番号要求信号を送信し、
発信元の電話機が、通信網接続装置に、着信先の電話機の電話番号を送信し、通信網接続装置は、発信元の電話機から受信した着信先の電話機の電話番号に基づいて、着信先の電話機に呼出信号を送信し、着信先の電話機が呼出信号に応答すれば、発信元の電話機と着信先の電話機とを着信者課金方式で通話可能に接続する、
着信者課金方式通話方法。
【請求項４】
請求項１に記載の着信者課金方式通話方法であって、
通信網接続装置が、発信元の電話機から受信した発信元の電話機の電話番号に基づいて発信元の電話機に呼出信号を送信し、発信元の電話機が呼出信号に応答した場合には、発信元の電話機から受信した着信先の電話機の電話番号に基づいて着信先の電話機に呼出信号を送信し、着信先の電話機が呼出信号に応答した場合には、発信元の電話機と着信先の電話機とを着信者課金方式で通話可能に接続することを特徴とする、
着信者課金方式通話方法。
【請求項５】
請求項１に記載の着信者課金方式通話方法であって、
通信網接続装置が、発信元の電話機から受信した着信先の電話機の電話番号に基づいて着信先の電話機に呼出信号を送信し、着信先の電話機が呼出信号に応答した場合には、発信元の電話機から受信した発信元の電話機の電話番号に基づいて発信元の電話機に呼出信号を送信し、発信元の電話機が呼出信号に応答した場合には、発信元の電話機と着信先の電話機とを着信者課金方式で通話可能に接続することを特徴とする、
着信者課金方式通話方法。
【請求項６】
発信元の電話機が、着信先の電話機に接続された接続装置に、着信先の電話機の着信者課金方式の電話番号を用いて呼出信号を送信し、前記接続装置に発信元の電話機の電話番号を送信し、着信先の電話機の着信者課金方式の電話番号を送信し、
前記接続装置が、発信元の電話機から受信した着信先の電話機の電話番号が着信者課金方式の電話番号であることを判別し、通信網接続装置に、呼出信号と着信先の電話機の電話番号と発信元の電話機の電話番号とを送信し、
通信網接続装置が、前記接続装置から受信した発信元の電話機の電話番号と着信先の電話機の電話番号に基づいて、発信元の電話機と着信先の電話機とを着信者課金方式で通話可能に接続する、
着信者課金方式通話方法。
【発明の詳細な説明】
【０００１】
【発明の属する技術分野】
本発明は、発信者が着信者課金方式で電話をかける通話方法に関する。
【０００２】
【従来の技術】
一般的な着信者課金方式の通話方法では、図６に示すように、例えば、発信者が電話機１６６で、着信先の電話機１６０の着信者課金方式の電話番号（「０１２０」＋「契約者番号（１２３−４５６）」）を発信する。電話局の交換機（図示していない。）では、「０１２０」発信であることを判別したら、「契約者番号（１２３−４５６）」に対応する着信先の電話機の電話番号を検索する。交換機は、検索した着信先の電話機１６０に呼出信号を送信し、着信先の電話機１６０が応答した場合には、発信元の電話機１６６と着信先の電話機１６０とを接続する。この場合、着信先の電話機１６０は、予め、着信者課金方式の契約をしていて、その際に「契約者番号（１２３−４５６）」が付与されている。
なお、上記従来技術に関しては、一般的に用いられている技術であり（例えば、ＮＴＴ社の“フリーダイヤル”）、先行技術文献の開示の必要性はない。
【０００３】
【発明が解決しようとする課題】
ところで、このような着信者課金方式では、一般的に、発信元の電話機が、例えば、携帯電話機の場合には利用できない設定となっている。これは、携帯電話機から固定電話機に発信する際に発生する通信料が、固定電話機から固定電話機に発信する際に発生する通信料と比較して高額であることに由来する。
しかしながら、最近、携帯電話機が広く普及されたことにより、着信者への課金が比較的安価な、携帯電話機からでも利用できる着信者課金方式の通話方法があれば、着信者及び発信者双方にとって便利である。
そこで、本発明は、各種電話機から着信者課金方式で容易に電話をすることができる着信者課金方式通話方法を提供することを課題とする。
【０００４】
【課題を解決するための手段】
前記課題を達成するための本発明の第１発明は、請求項１に記載されたとおりの着信者課金方式通話方法である。
請求項１に記載の着信者課金方式通話方法は、発信元の電話機が、通信網接続装置に通信網接続装置の電話番号を用いて呼出信号を送信し、通信網接続装置に発信元の電話機の電話番号と、着信先の電話機の電話番号を送信し、通信網接続装置は、発信元の電話機から受信した発信元の電話機の電話番号と着信先の電話機の電話番号に基づいて、発信元の電話機と着信先の電話機とを着信者課金方式で通話可能に接続する。
請求項１に記載の着信者課金方式通話方法を用いれば、各種電話機から着信者課金方式で容易に電話をかけることができ、着信者及び発信者双方の利便性が向上する。
【０００５】
また、本発明の第２発明は、請求項２に記載されたとおりの、着信者課金方式通話方法である。
請求項２に記載の着信者課金方式通話方法では、通信網接続装置が、発信元の電話機から発信元の電話機の電話番号と呼出信号を受信したら、発信元の電話機の電話番号を検出して呼出信号に応答せず発信元の電話機に着信拒否信号を送信し、通信網接続装置が、発信元の電話機から受信した発信元の電話機の電話番号に基づいて、発信元の電話機に呼出信号と着信先の電話機の電話番号要求信号を送信し、発信元の電話機が、通信網接続装置に、着信先の電話機の電話番号を送信し、通信網接続装置は、発信元の電話機から受信した着信先の電話機の電話番号に基づいて、着信先の電話機に呼出信号を送信し、着信先の電話機が呼出信号に応答すれば、発信元の電話機と着信先の電話機とを着信者課金方式で通話可能に接続する。
請求項２に記載の着信者課金方式通話方法を用いれば、通信網接続装置が、発信元の電話機から発信元の電話機の電話番号を含む呼出信号を受信したら、発信元の電話機の電話番号を検出して呼出信号に応答せず発信元の電話機に着信拒否信号を送信するので、発信者は通信網接続装置を呼び出すための電話料金が不要である。
【０００６】
また、本発明の第３発明は、請求項３に記載されたとおりの、着信者課金方式通話方法である。
請求項３に記載の着信者課金方式通話方法では、通信網接続装置は、発信元の電話機から発信元の電話機の電話番号と呼出信号を送信したら、発信元の電話機の電話番号を検出して呼出信号に応答してから、発信元の電話機との接続を一旦切断し、通信網接続装置が、発信元の電話機から受信した発信元の電話機の電話番号に基づいて、発信元の電話機に呼出信号と着信先の電話機の電話番号要求信号を送信し、発信元の電話機が、通信網接続装置に、着信先の電話機の電話番号を送信し、通信網接続装置は、発信元の電話機から受信した着信先の電話機の電話番号に基づいて、着信先の電話機に呼出信号を送信し、着信先の電話機が呼出信号に応答すれば、発信元の電話機と着信先の電話機とを着信者課金方式で通話可能に接続する。
請求項３に記載の着信者課金方式通話方法を用いれば、通信網接続装置が、発信元の電話機から発信元の電話機の電話番号を含む呼出信号を受信したら、発信元の電話機の電話番号を検出して呼出信号に応答してから、発信元の電話機との接続を一旦切断するので、発信者は、例えば、通信網接続装置からのサービス（音声メッセージ、画面表示等）を享受することができる。
【０００７】
また、本発明の第４発明は、請求項４に記載されたとおりの、着信者課金方式通話方法である。
請求項４に記載の着信者課金方式通話方法では、通信網接続装置が、発信元の電話機から受信した発信元の電話機の電話番号に基づいて発信元の電話機に呼出信号を送信し、発信元の電話機が呼出信号に応答した場合には、発信元の電話機から受信した着信先の電話機の電話番号に基づいて着信先の電話機に呼出信号を送信し、着信先の電話機が呼出信号に応答した場合には、発信元の電話機と着信先の電話機とを着信者課金方式で通話可能に接続することを特徴とする。
請求項４に記載の着信者課金方式通話方法を用いれば、通信網接続装置は、発信元の電話機との接続を確保してから着信先の電話機に呼出信号を送信するので、着信者は確実に着信者課金方式で発信者と通話をすることができる。
【０００８】
また、本発明の第５発明は、請求項５に記載されたとおりの、着信者課金方式通話方法である。
請求項５に記載の着信者課金方式通話方法では、通信網接続装置が、発信元の電話機から受信した着信先の電話機の電話番号に基づいて着信先の電話機に呼出信号を送信し、着信先の電話機が呼出信号に応答した場合には、発信元の電話機から受信した発信元の電話機の電話番号に基づいて発信元の電話機に呼出信号を送信し、発信元の電話機が呼出信号に応答した場合には、発信元の電話機と着信先の電話機とを着信者課金方式で通話可能に接続することを特徴とする。
請求項５に記載の着信者課金方式通話方法を用いれば、通信網接続装置は、着信先の電話機との接続を確保してから発信元の電話機に呼出信号を送信するので、発信者は確実に着信者課金方式で着信者と通話をすることができる。
【０００９】
また、本発明の第６発明は、請求項６に記載されたとおりの、着信者課金方式通話方法である。
請求項６に記載の着信者課金方式通話方法では、発信元の電話機が、着信先の電話機に接続された接続装置に、着信先の電話機の着信者課金方式の電話番号を用いて呼出信号を送信し、前記接続装置に発信元の電話機の電話番号を送信し、着信先の電話機の着信者課金方式の電話番号を送信し、前記接続装置が、発信元の電話機から受信した着信先の電話機の電話番号が着信者課金方式の電話番号であることを判別し、通信網接続装置に、呼出信号と着信先の電話機の電話番号と発信元の電話機の電話番号とを送信し、通信網接続装置が、前記接続装置から受信した発信元の電話機の電話番号と着信先の電話機の電話番号に基づいて、発信元の電話機と着信先の電話機とを着信者課金方式で通話可能に接続する。
請求項６に記載の着信者課金方式通話方法を用いれば、各種電話機から着信者課金方式で容易に電話をかけることができ、着信者及び発信者双方の利便性が向上する。
【００１０】
【発明の実施の形態】
以下に本発明の第１〜第３の実施の形態を図１〜図５を用いて説明する。
◆第１の実施の形態（通信網接続装置６３を用いる。通信網接続装置６３が、発信元の電話機６５から呼出信号を受信したら、発信元の電話機６５の電話番号を検出して呼出信号に応答してから、発信元の電話機６５との接続を一旦切断する。）
本発明の着信者課金方式通話方法の第１の実施の形態の概略構成図を、図１に示す。
通信網接続装置６３は、電話回線網の中継装置であり、例えば、電話回線網６２、６４に加入している。発信元の電話機６５と通信網接続装置６３とは、電話回線網６４により通信路（通話路）を形成して通話することが可能である。また、着信先の電話機６０と通信網接続装置６３とは、電話回線網６２により通信路（通話路）を形成して通話することが可能である。
電話回線網６２、６４は、有線でも無線でもよく、また、有線及び無線が混在していてもよい。
【００１１】
次に、第１の実施の形態の着信者課金方式通話方法の動作について説明する。まず、発信者が電話機６５を用いて着信先の電話機６０に着信者課金方式で電話をかける場合、発信者は、通信網接続装置６３に設けられている着信者課金方式受け付け用の電話機（図示していない。）に電話をかける。着信者課金方式受け付け用の電話機は、携帯電話機でも固定電話機でもよいが、携帯電話機（「０９０−４３２１−１２３４」）の場合について説明する。すなわち、発信者は、電話機６５で「０９０−４３２１−１２３４」をダイヤルする。すると、電話回線網６４は、「０９０−４３２１−１２３４」の電話番号を持つ携帯電話機を呼び出すとともに、発信元である「０９０−９８７６−５４３２」の電話番号を当該携帯電話機に送信する。（図１の（１））。
通信網接続装置６３は、電話機６５からの呼び出しにオフフックして応答したら（図１の（１’））、電話機６５と通信路を形成する（図１の（１”））。例えば、電話機６５に「こちらからかけなおしますので電話を切ってお待ち下さい。」というメッセージを送信する。そして、一旦、接続を切断する（図１の（２））。
そして、通信網接続装置６３は、電話機６５に着信先の電話機の電話番号要求信号を含む呼出信号を送信する（図１の（３））。これにより、電話機６５がオフフックして応答したら（図１の（３’））、通信網接続装置６３と電話機６５は、通信路を形成する（図１の（４））。そして、通信網接続装置６３は、例えば、電話機６５に「着信者課金方式で電話をかけます。着信先の電話機の電話番号を入力して下さい。」という音声メッセージを送信する（図１の（３））。
発信者は、電話機６５を用いて、着信先の電話機６０の電話番号（例えば、「０５２−８７６−５４３２」）を入力して通信網接続装置６３に送信する。例えば、電話機６５の数字キーで電話番号を入力し、通話キーを操作する。電話機６５には、例えば、「しばらくお待ちください。」という音声メッセージが出力されてから保留音が出力される。
通信網接続装置６３は、電話回線網６２を介して着信先の電話機６０に呼出信号を送信する（図１の（５））。着信先の電話機６０がオフフック状態となり応答したら（図１の（６））、保留させていた発信元の電話機６５と着信先の電話機６０を、電話回線網６２、通信網接続装置６３、電話回線網６４を介して通信路（通話路）を形成する（図１の（７））。
【００１２】
ここで、図１の（４）に示す手順では、電話機６５に「着信者課金方式で電話をかけます。着信先の電話機の電話番号を入力して下さい。」という音声メッセージが出力される場合について説明したが、図２に示すように、電話機６５の表示器に、着信先の電話機６０の電話番号の選択画面が表示されるようにしてもよい。
例えば、発信元の電話機６５の表示器に、図２の（Ａ）に示すような、電話番号選択画面１０１が表示される。電話番号選択画面１０１には、例えば、「着信者課金方式で接続します。電話番号を選択してください。」と表示されたコメント欄１０１ａ、選択可能な電話番号が表示されている電話番号表示欄１０１ｂが表示されている。発信者が、例えば、電話機６５のスクロールキーで選択枠１０１ｃを“１．０５２−８７６−５４３２”の位置に移動し、決定キーを操作する。
すると、画面１０２が表示される。画面１０２には、電話番号選択画面１０１で選択された電話番号を表示する欄１０２ａ、例えば、「通話キーを操作して下さい。」と表示されたコメント欄１０２ｂが表示されている。発信者が電話機６５の通話キーを操作すると、着信者課金方式で“０１２０−１２３−４５６”の電話番号の電話機６０に電話をかけることができる。
【００１３】
また、図２の（Ａ）に示すような、電話番号選択画面１０１で、発信者が、例えば、電話機６５のスクロールキーで選択枠１０１ｃを“４．新たに入力”の位置に移動して決定キーを操作すると、図２の（Ｃ）に示すような電話番号入力画面１０３が表示される。電話番号入力画面１０３には、例えば、「電話番号を入力して下さい。」と表示されたコメント欄１０３ａ、電話番号入力欄１０３ｂ、「ＯＫならば、入力キーを操作してください。」と表示されたコメント欄１０３ｃが表示されている。発信者は、電話番号入力欄１０３ｂに、電話機６５の数字キー等を用いて着信先の電話機の電話番号を入力する。入力し終わったら、電話機６５の入力キーを操作すると、図２の（Ｄ）に示すような確認画面１０４が表示される。
【００１４】
確認画面１０４には、例えば、「この電話番号を登録しますか？“０５２−６７８−９８７６”」と表示されたコメント欄１０４ａが表示されている。発信者は、この番号を登録する（記憶させておく）のであれば、入力キーを操作する。入力キーを操作すると、電話番号入力画面１０３で新たに入力された電話番号“０５２−６７８−９８７６”を追加した、図２の（Ｅ）に示すような電話番号選択画面１０５が表示される。その後の操作は、電話番号選択画面１０１の場合と同様である。
電話番号選択画面１０１に表示される電話番号は、例えば、過去に電話機６５の発信者が通信網接続装置６３を用いて着信者課金方式で電話をかけた履歴である。また、前述した手順で、発信者が追記することもできる。また、通信網接続装置６３側で、契約者（着信先）の宣伝等の目的で所定の電話番号を表示できるようにしてもよい。
これらの画面の表示内容、操作手順等は任意である。
【００１５】
第１の実施の形態では、通信網接続装置６３は、電話機６５から、図１の（１）で呼出信号とともに発信元の電話機６５の電話番号（例えば、０９０−９８７６−５４３２）を受信する。また、図１の（４）で着信先の電話機６０の着信者課金方式の電話番号（例えば、０５２−８７６−５４３２）を受信する。このように、通信網接続装置６３は、着信先の電話機６０の着信者課金方式の電話番号と、発信元の電話機６５の電話番号を、別々に受信してもよいし、同時に受信してもよい。同時に受信する場合には、図３に示すように、図１に示す（３）、（４）の手順は必要ない。この場合、例えば、通信網接続装置６３は、着信先の電話機６０から、着信先の電話機６０の着信者課金方式の電話番号と、発信元の電話機６５の電話番号を受信したら、「着信者課金方式で０５２−８７６−５４３２に電話をかけます。こちらからかけなおしますので、電話を切ってお待ちください。」という音声メッセージを送信し、一旦接続を切断する。そして、通信網接続装置６３からの呼び出し（図３に示す（６））に着信先の電話機６０がオフフック状態となり（図３に示す（６））応答が確認できたら、電話機６５に呼び返しをし、電話機６５と着信先の電話機６０を通話可能に接続する（図３に示す（７））。この場合も、通信網接続装置６３は、音声メッセージ等を送信しなくてもよい。また、通信網接続装置６３は、先に、着信先の電話機６０との接続を確保してもよいし、発信元の電話機６５との接続を確保してもよい。
また、通信網接続装置６３は、複数の発信元の電話機に対応して、それぞれ着信者課金方式で電話をかけることができる。通信網接続装置６３で、着信者課金方式の電話の契約者（着信先）や、利用者（発信者）や、各履歴等を集中管理できるようにしてもよい。
また、発信元の電話機６５から通信網接続装置６３（例えば、通信網接続装置６３に設けられた着信者課金方式受け付け用の電話機）に送信された呼出信号に、通信網接続装置６３が応答してオフフックしている間（例えば、音声メッセージ等を送信する間）の電話料金を発信者もしくは通信網接続装置６３側のいずれが負担するかは任意である。通信網接続装置６３を運営する者は、着信者課金方式受け付け用の電話機を着信者課金方式で電話回線網６４を運営する者と契約して、通信網接続装置６３を運営する者が負担してもよい。また、この間（音声メッセージ等を送信する間）は、一般的に短時間であるので、発信者が負担してもよい。
また、第１の実施の形態では、通信網接続装置６３は、発信元の電話機６５から呼出信号を受信したら、オフフックして音声メッセージ等を送信してから一旦接続を切断しているが、音声メッセージ等は送信しなくてもよい。つまり、オフフックしてから直ぐに接続を切断してもよい。
また、第１の実施の形態では、発信元の電話機６５は、図１の（１）で、通信網接続装置６３に電話をかけている。しかし、電話機６５は、通信網接続装置６３に着信履歴のみを残してオンフックし、すなわち接続を一旦切断して、通信網接続装置６３から電話番号入力要求信号が送信されるまで待機していてもよい。
【００１６】
◆第２の実施の形態（通信網接続装置６３を用いる。通信網接続装置が、発信元の電話機から呼出信号を受信したら、発信元の電話機の電話番号を検出して呼出信号に応答せず、着信拒否信号を送信する。）
本発明の通話方法の第２の実施の形態の構成は、第１の実施の形態と同様である。
そこで、第２の実施の形態の着信者課金方式通話方法の動作について、図４を用いて説明する。
まず、発信者が電話機６５を用いて着信先の電話機６０に着信者課金方式で電話をかける場合、発信者は、通信網接続装置６３に設けられている着信者課金方式受け付け用の電話機（図示していない。）に電話をかける。着信者課金方式受け付け用の電話機は、携帯電話機でも固定電話機でもよいが、携帯電話機（「０９０−４３２１−１２３４」）の場合について説明する。すなわち、発信者は、電話機６５で「０９０−４３２１−１２３４」をダイヤルする。すると、電話回線網６４は、「０９０−４３２１−１２３４」の電話番号を持つ携帯電話機を呼び出すとともに、発信元である「０９０−９８７６−５４３２」の電話番号を当該携帯電話機に送信する（図４の（１））。
すると、通信網接続装置６３は、電話機６５からの呼び出しに応答せず（オンフックのまま）、発信元の電話機６５の電話番号（「０９０−９８７６−５４３２」）を検出する。そして、通信網接続装置６３は、電話機６５に着信拒否信号を送信する（図４の（２））。
そして、通信網接続装置６３は、電話機６５に着信先の電話機の電話番号要求信号を含む呼出信号を送信する（図４の（３））。これにより、電話機６５がオフフックして応答したら（図４の（３’））、通信網接続装置６３と発信元の電話機６５の通信路を形成する（図４の（４））。そして、通信網接続装置６３は、例えば、電話機６５に「着信者課金方式で電話をかけます。着信先の電話機の電話番号を入力して下さい。」という音声メッセージを送信する。
発信者は、電話機６５を用いて、着信先の電話機６０の電話番号（例えば、「０５２−８７６−５４３２」）を入力して通信網接続装置６３に送信する（図４の（４））。例えば、電話機６５の数字キーで電話番号を入力し、通話キーを操作する。電話機６５には、例えば、「しばらくお待ちください。」という音声メッセージが出力されてから保留音が出力される。
通信網接続装置６３は、電話回線網６２を介して着信先の電話機６０に呼出信号を送信する（図４の（５））。着信先の電話機６０がオフフック状態となり応答したら（図４の（６））、保留させていた発信元の電話機６５と着信先の電話機６０を、電話回線網６２、通信網接続装置６３、電話回線網６４を介して通信路（通話路）を形成する（図４の（７））。
【００１７】
◆第３の実施の形態（通信網接続装置６３と、着信先の電話機６０に接続されているアダプタ６１を用いる場合）
本発明の着信者課金方式通話方法の第３の実施の形態の概略構成図を、図５に示す。
通信網接続装置６３は、電話回線網の中継装置であり、例えば、電話回線網６２、６４に加入している。発信元の電話機６５と通信網接続装置６３とは、電話回線網６４により通信路（通話路）を形成して通話することが可能である。また、着信先の電話機６０と通信網接続装置６３とは、電話回線網６２により通信路（通話路）を形成して通話することが可能である。
また、着信先の電話機６０にはアダプタ（接続装置）６１が接続されている。着信先の電話機６０は、例えば、電話回線網６２、６４に加入している。着信先の電話機６０と通信網接続装置６３とは、電話回線網６２により、アダプタ（接続装置）６１を介して通信路（通話路）を形成して通話することが可能である。また、着信先の電話機６０と発信元の電話機６５とは、電話回線網６４により、アダプタ（接続装置）６１を介して通信路（通話路）を形成して通話することが可能である。
電話回線網６２、６４は、有線でも無線でもよく、また、有線及び無線が混在していてもよい。
【００１８】
次に、第３の実施の形態の着信者課金方式通話方法の動作について、図５を用いて説明する。
まず、発信者が電話機６５を用いて着信先の電話機６０に着信者課金方式で電話をかける場合、発信者は、着信先の電話機６０の着信者課金方式の電話番号（例えば、「０１２０−１２３−４５６」）を入力する。電話機６５は、発信元の電話機６５の電話番号（「０９０−９８７６−５４３２」）を含む呼出信号を着信先の電話機６０に接続されているアダプタ６１に送信する（図５の（１））。ここで、アダプタ６１の電話番号は、着信先の電話機６０の電話番号と同じである。そして、アダプタ６１は、着信先の電話機６０の前段（電話回線網６２側）に接続されていて、着信先の電話機６０に電話がかかると、先にアダプタ６１が受信する。
アダプタ６１は、発信元の電話機６５の電話番号（「０９０−９８７６−５４３２」）を受信し、携帯電話機からの電話であることを判別する（例えば、先頭の３桁が０９０であるか否かで判別する。）。また、アダプタ６１は、発信元の電話機６５から受信した着信先の電話機６０の電話番号（「０１２０−１２３−４５６」）が着信者課金方式の電話番号であることを判別する（例えば、先頭の４桁が０１２０であるか否かで判別する。）。そこで、アダプタ６１は、電話機６５からの呼出に応答せず（オンフックのまま）、電話機６５に着信拒否信号を送信する（図５の（２））。
そして、アダプタ６１と電話回線網６４の回線が一旦切断されている状態で、アダプタ６１は、着信先の電話機６０に呼出信号を送信する（着信先の電話機６０をリングして呼び出す。図５の（３））。アダプタ６１は、電話機６０が呼出信号にオフフックして応答したら（図５の（４））、電話機６０と通信路を形成し（図５の（４’））、通信網接続装置６３に設けられている着信者課金方式受け付け用の電話機（図示していない。）に電話をかける（図５の（５））。アダプタ６１は、通信網接続装置６３がアダプタ６１からの呼び出しにオフフックして応答したら（図５の（６））、通信網接続装置６３と通信路を形成し（図５の（６’））、着信先の電話機６０及びアダプタ６１の電話番号「０１２０−１２３−４５６」と、発信元の電話機６５の電話番号「０９０−９８７６−５４３２」を通信網接続装置６３に送信する。
通信網接続装置６３は、アダプタ６１から受信した発信元の電話機６５の電話番号「０９０−９８７６−５４３２」を用いて、発信元の電話機６５に呼出信号を送信して発信元の電話機６５を呼び返す（図５の（７））。発信元の電話機６５がオフフックして応答したら（図５の（８））、保留させていた着信先の電話機６０と発信元の電話機６５を、アダプタ６１、電話回線網６２、通信網接続装置６３、電話回線網６４を介して通信路（通話路）を形成する（図５の（９））。
【００１９】
第３の実施の形態で、アダプタ６１が着信先の電話機６０に呼出信号を送信して、電話機６０が応答した時、アダプタ６１は着信先の電話機６０に音声メッセージ等を出力してもよい。例えば、「着信者課金方式の電話がかかっています。しばらく、このままでお待ちください。」という音声メッセージを出力してもよい。
また、第３の実施の形態では、発信元の電話機６５が着信先の電話機６０に着信者課金方式の電話番号で電話をかけた時、アダプタ６１はオフフックせずに、発信元の電話機６５の電話番号を検出した後に、発信元の電話機６５に着信拒否信号を送信する場合について説明したが、アダプタ６１は一旦オフフックしてもよい。これによれば、アダプタ６１と発信元の電話機６５間で一旦通信路（通話路）が形成され、例えば、アダプタ６１は、発信元の電話機６５に「着信者課金方式で接続します。こちらからかけなおしますので電話を切ってお待ち下さい。」という音声メッセージを送信することができる。
また、第３の実施の形態では、アダプタ６１は着信先の電話機６０との接続を確保してから、通信網接続装置６３を呼び出し、発信元の電話機６５と接続したが、接続する順序は逆でもよい。すなわち、先の通信網接続装置６３を呼び出して発信元の電話機６５を呼び返し、発信元の電話機６５との接続を確保してから、着信先の電話機６０を呼び出してもよい。
第３の実施の形態によれば、電話機６５の発信者は、着信者課金方式で電話をかける時に、まず、通信網接続装置６３に電話をかける必要がない。発信者は、着信先の着信者課金方式の電話番号（例えば、「０１２０−１２３−４５６」）を知っていればよいので、便利である。このように、発信者の操作が簡単であれば、着信先の着信者課金方式の電話番号が利用されやすい。これにより、例えば、着信者が営業目的で着信者課金方式の電話番号を設定している場合には、利用者が増えることで目的達成が容易になる。
また、第３の実施の形態の通信網接続装置６３の機能は、着信先の電話に接続されているアダプタ６１が兼ねていてもよい。例えば、アダプタ６１が発信元呼び返し用の携帯電話機を備えていて、着信先の電話機６０、アダプタ６１の携帯電話機、電話回線網６４、発信元の電話機６５という通信路を形成するようにしてもよい。発信元呼び返し用の電話機は、携帯電話機ではなくてもよい。
【００２０】
本発明の構成及び動作は、本実施の形態に限定されるものではない。
また、電話機６５と着信先の電話機６０との接続方法は、種々変更可能である。
第１及び第２の実施の形態では、例えば、通信網接続装置６３が発信元の電話機６５に電話をかる際（例えば、図１の（３）、図５の（７））に、通信網接続装置６３に設けられている携帯電話機（図示していない。）を用いる。一般的に、固定電話機から携帯電話機に電話をかけるよりも、携帯電話機から携帯電話機に電話をかけた方が通話料金が安価である。これにより、着信者が通信網接続装置６３と契約していることにより支払う料金を容易に低価格化することができる。また、着信先の電話機が携帯電話機でもよい。この場合、例えば、通信網接続装置６３が着信先の電話機に電話をかける際（例えば、図１の（５））、また、図５に示すアダプタ６１からの呼出信号を受信する際（図５の（３））に、通信網接続装置６３に設けられている携帯電話機（図示していない。）を用いる。これにより、着信者が通信網接続装置６３と契約していることにより支払う料金を容易に低価格化することができる。
このように、通信網接続装置６３は、発信もしくは着信する相手の電話機の仕様に合わせて、自動的に着信もしくは発信する電話機を選択するようにしてもよい。これにより、着信者が支払う着信者課金方式の電話番号の使用料金を容易に低価格化することができる。
通信網接続装置６３は、複数の発信元の電話機からの呼び出しや、複数の着信先の電話機に接続されたアダプタからの呼び出しを同時に処理できるように、複数の着信者課金方式受け付け用の電話機や発信元呼び返し用の携帯電話機を備えていてもよい。
【００２１】
【発明の効果】
以上説明したように、請求項１〜６に記載の着信者課金方式通話方法によれば、各種電話機から着信者課金方式で容易に電話をすることができ、着信者及び発信者双方の利便性が向上する。
【図面の簡単な説明】
【図１】本発明の着信者課金方式通話方法の第１の実施の形態の概略図である。
【図２】通話装置１で、発信元の電話機６５に表示する画面の例を説明する図である。
【図３】本発明の通着信者課金方式通話方法の第１の実施の形態の概略図である。
【図４】本発明の通着信者課金方式通話方法の第２の実施の形態の概略図である。
【図５】本発明の通着信者課金方式通話方法の第３の実施の形態の概略図である。
【図６】従来技術を示す概略図である。
【符号の説明】
１                  通話装置
６０                着信先の電話機
６１                アダプタ
６２、６４          電話回線網
６３                通信網接続装置
６５                発信元の電話機
【図１】
2004186976.tif 000003
【図２】
2004186976.tif 000004
【図３】
2004186976.tif 000005
【図４】
2004186976.tif 000006
【図５】
2004186976.tif 000007
【図６】
2004186976.tif 000008